(57)【要約】  本発明は、太陽電池モジュール群の増設を容易とし、利便性の向上を図ることを目的とする。本発明によれば、インタフェース２１を有し、インタフェース２１に装着された太陽電池モジュール群１０からの電力供給を受ける光電変換装置であって、インタフェース２１は、太陽電池モジュール群１０に設けられた第１の接続手段１２３と機械的および電気的に連結可能な第２の接続手段２１５をそれぞれが有する複数の剛性部材２１１と、複数の剛性部材２１１を、折り畳み可能に機械的および電気的に連結する連結部２１６とを備える光電変換装置が得られる。
2016152084.tif 000002
【特許請求の範囲】
【請求項１】
光電変換モジュール群が装着されるインタフェースを有し、前記インタフェースに装着された光電変換モジュール群からの電力供給を受ける光電変換装置であって、
前記インタフェースは、
前記光電変換モジュール群に設けられた第１の接続手段と機械的および電気的に連結可能な第２の接続手段をそれぞれが有する複数の剛性部材と、
前記複数の剛性部材を、折り畳み可能に機械的および電気的に連結する連結部と、を備えることを特徴とする光電変換装置。
【請求項２】
請求項１記載の光電変換装置において、
前記光電変換モジュール群は、縦列に接続された複数の光電変換モジュールを備え、隣り合う光電変換モジュールの間で折り畳み可能に構成されていることを特徴とする光電変換装置。
【請求項３】
請求項１または２記載の光電変換装置において、
前記第２の接続手段は、隣り合う剛性部材が折り畳まれた状態で、剛性部材同士が対向する面以外の面に設けられていることを特徴とする光電変換装置。
【請求項４】
請求項１から３のいずれか一項に記載の光電変換装置において、
前記剛性部材の厚さは、該剛性部材に接続される光電変換モジュール群の折り畳み時の厚さと略同じであることを特徴とする光電変換装置。
【請求項５】
請求項１から４のいずれか一項に記載の光電変換装置において、
前記第２の接続手段は、前記第１の接続手段に設けられた第１の接続部と摺接して係合する第２の接続部と、前記第１の接続部が所定の位置にある状態で、前記第１の接続手段に設けられた第１のコネクタと接続される第２のコネクタとを有することを特徴とする光電変換装置。
【請求項６】
請求項５記載の光電変換装置において、
前記第１の接続部および前記第２の接続部のうち、一方は、ガイドレールであり、他方は、前記ガイドレールと摺接して係合するガイドであることを特徴とする光電変換装置。
【請求項７】
請求項５または６記載の光電変換装置において、
前記剛性部材の幅は、前記第２の接続部の幅と略同等であることを特徴とする光電変換装置。
【請求項８】
請求項１から４のいずれか一項に記載の光電変換装置において、
前記第１の接続手段および第２の接続手段のうち、一方は、カードエッジコネクタであり、他方は、前記カードエッジコネクタが挿入されるエッジコネクタソケットであることを特徴とする光電変換装置。
【請求項９】
請求項１から８のいずれか一項に記載の光電変換装置において、
前記光電変換装置は、前記光電変換装置を吊り下げて支持する第１の支持手段をさらに有することを特徴とする光電変換装置。
【請求項１０】
請求項９記載の光電変換装置において、
前記インタフェースには、前記第１の支持手段により前記光電変換装置が吊り下げて支持されている状態で、前記インタフェースを支持する第２の支持手段が設けられていることを特徴とする光電変換装置。
【請求項１１】
請求項１から１０のいずれか一項に記載の光電変換装置において、
前記複数の剛性部材の少なくとも１つには、前記第２の接続手段が設けられた面と対向する面に、前記複数の剛性部材のそれぞれに接続された光電変換モジュール群を一括して取り外し可能な第３の接続手段が設けられていることを特徴とする光電変換装置。
【請求項１２】
請求項１から１１のいずれか一項に記載の光電変換装置において、
前記剛性部材の長さは、該剛性部材に接続される光電変換モジュールの短手方向の長さと略同等であることを特徴とする光電変換装置。
【請求項１３】
請求項１から１２のいずれか一項に記載の光電変換装置において、
前記剛性部材の幅は、前記光電変換モジュール群を構成する光電変換モジュールの幅の１／３程度であることを特徴とする光電変換装置。
【発明の詳細な説明】
【技術分野】
【０００１】
本発明は、光電変換装置に関する。
【背景技術】
【０００２】
近年、商用電源を得られない外出先などでも、利用者が、スマートフォン、ノートＰＣ（Ｐｅｒｓｏｎａｌ  Ｃｏｍｐｕｔｅｒ）、タブレットＰＣなどの携帯機器を利用できるように、携帯可能な発電装置の需要が高まっている。【０００３】
例えば、特許文献１には、所定の間隔を開けて配列された複数の太陽電池セル（太陽電池モジュール）と、各太陽電池セルの電極を接続するフレキシブル導電部材とを、柔軟性および伸縮性を有するシート状の透明フィルム部材で上下から挟んで形成されたシート体が開示されている。このようなシート体によれば、使用時には、シート体を広げ、太陽電池セルにより発電された電力を取り出して外部機器で利用することができる。また、非使用時には、シート体を折り畳んで容易に収納、運搬することができる。
【先行技術文献】
【特許文献】
【０００４】
【特許文献１】特開平９−５１１１８号公報
【発明の概要】
【発明が解決しようとする課題】
【０００５】
上述したように、特許文献１に開示されているシート体は、予め定められた所定の枚数の太陽電池セルが一体的となって構成されている。そのため、シート体から得られる電力は、シート体を構成する太陽電池セルの枚数や性能に応じて、予め定まっている。また、シート体を構成する太陽電池セルの枚数やサイズは重量の観点から制限がある。そのため、特許文献１に開示されているシート体では、得られる電力を調整することができず、必要な電力を賄えないなど、利便性に欠ける面がある。【０００６】
特許文献１に開示されているシート体１枚では必要な電力を賄えない場合には、複数のシート体を機器に接続し、複数のシート体から電力を供給することも考えられる。ここで、特許文献１に開示されているシート体では、太陽電池セルに一端が接続され、透明フィルム部材で上下から挟まれて固定されたリード線がシート体から引き出され、そのリード線の他端を機器に接続することで、太陽電池セルからの電力の取り出しを可能としている。そのため、複数のシート体を接続する場合には、各シート体から引き出されたリード線を機器に接続する必要があり、配線が煩雑となる、配線長が増加するなど、利便性に問題がある。【０００７】
本発明の目的は、上述した課題を解決し、太陽電池モジュール群の増設を容易とし、利便性の向上を図ることができる光電変換装置を提供することにある。
【課題を解決するための手段】
【０００８】
本発明者らは、上記課題を解決することを目的として鋭意検討を行った。そして、本発明者らは、光電変換モジュール群と接続可能な複数の剛性部材を、折り畳み可能に、機械的および電気的に連結することで、太陽電池モジュール群の増設を容易とし、利便性の向上を図ることができることに着想した。【０００９】
この発明は、上記課題を有利に解決することを目的としたものであり、本発明の光電変換装置は、光電変換モジュール群が装着されるインタフェースを有し、前記インタフェースに装着された光電変換モジュール群からの電力供給を受ける光電変換装置であって、前記インタフェースは、前記光電変換モジュール群に設けられた第１の接続手段と機械的および電気的に連結可能な第２の接続手段をそれぞれが有する複数の剛性部材と、前記複数の剛性部材を、折り畳み可能に機械的および電気的に連結する連結部と、を備える。このように、光電変換モジュール群に設けられた第１の接続手段と機械的および電気的に連結可能な第２の接続手段をそれぞれが有する複数の剛性部材を、折り畳み可能に機械的および電気的に連結することで、複数の光電変換モジュール群の装着、すなわち、光電変換モジュール群の増設が可能となるので、利便性の向上を図ることができる。さらに、インタフェースは、剛性部材単位で折り畳み可能となるため、非使用時には最小単位（剛性部材１つ分の幅）まで折り畳むことができ、小さく収納することができるので、携帯性に優れ、利便性の向上を図ることができる。【００１０】
また、この発明は、上記課題を有利に解決することを目的としたものであり、前記光電変換モジュール群は、縦列に接続された複数の光電変換モジュールを備え、隣り合う光電変換モジュールの間で折り畳み可能に構成されていることが好ましい。この場合、光電変換モジュール群も光電変換モジュール単位で畳み可能であるため、インタフェースおよびインタフェースに装着された各光電変換モジュール群を折り畳むと、光電変換モジュール群の折り畳みの最小単位（１つの光電変換モジュール）と二次元的には（面的には）、略同等のサイズまで小さくすることができる。そのため、携帯性に優れ、利便性の向上を図ることができる。さらに、インタフェースおよびインタフェースに装着された各光電変換モジュール群の折り畳み時の二次元的なサイズは、剛性部材の増設数に依存しないので、増設数が増加しても、装置サイズの増大を抑制することができる。【００１１】
また、この発明は、上記課題を有利に解決することを目的としたものであり、前記第２の接続手段は、隣り合う剛性部材が折り畳まれた状態で、剛性部材同士が対向する面以外の面に設けられていることが好ましい。この場合、インタフェースの折り畳み時の薄型化を図ることができる。【００１２】
また、この発明は、上記課題を有利に解決することを目的としたものであり、前記剛性部材の厚さは、該剛性部材に接続される光電変換モジュール群の折り畳み時の厚さと略同じであることが好ましい。この場合、インタフェースの各剛性部材に光電変換モジュール群が装着された状態で、インタフェースおよび各光電変換モジュール群を折り畳んだ状態での厚さが略均一となり、携帯性、収納性の向上を図ることができる。また、光電変換モジュールの薄膜化の進展に伴い、インタフェースおよび各光電変換モジュール群の折り畳み時の厚みを小さくすることもできる。【００１３】
また、この発明は、上記課題を有利に解決することを目的としたものであり、前記第２の接続手段は、前記第１の接続手段に設けられた第１の接続部と摺接して係合する第２の接続部と、前記第１の接続部が所定の位置にある状態で、前記第１の接続手段に設けられた第１のコネクタと接続される第２のコネクタとを有することが好ましい。この場合、第１の接続部と第２の接続部とを摺接して係合させるという簡易な操作で、光電変換モジュール群と剛性部材とを機械的および電気的に接続することができる。【００１４】
また、この発明は、上記課題を有利に解決することを目的としたものであり、前記第１の接続部および前記第２の接続部のうち、一方は、ガイドレールであり、他方は、前記ガイドレールと摺接して係合するガイドであることが好ましい。この場合、インタフェースに光電変換モジュールを容易かつ確実に装着することができる。【００１５】
また、この発明は、上記課題を有利に解決することを目的としたものであり、前記剛性部材の幅は、前記第２の接続部の幅と略同等であることが好ましい。この場合、剛性部材の幅方向のサイズを抑制し、インタフェースの折り畳み時の二次元的なサイズの増加を抑制することができるので、携帯性の向上を図ることができ、また、折り畳み操作も容易となる。【００１６】
また、この発明は、上記課題を有利に解決することを目的としたものであり、前記第１の接続手段および第２の接続手段のうち、一方は、カードエッジコネクタであり、他方は、前記カードエッジコネクタが挿入されるエッジコネクタソケットであることが好ましい。この場合、カードエッジコネクタをエッジコネクタソケットに挿入するという簡易な操作で、光電変換モジュール群と剛性部材とを機械的および電気的に接続することができる。【００１７】
また、この発明は、上記課題を有利に解決することを目的としたものであり、前記光電変換装置は、前記光電変換装置を吊り下げて支持する第１の支持手段をさらに有することが好ましい。この場合、光電変換モジュール群が装着された状態で光電変換装置を吊り下げて支持することで、光電変換モジュール群を机の上などに平面的に広げて設置する必要が無くなるので、設置時の省スペース化を図ることができる。【００１８】
また、この発明は、上記課題を有利に解決することを目的としたものであり、前記インタフェースには、前記第１の支持手段により前記光電変換装置が吊り下げて支持されている状態で、前記インタフェースを支持する第２の支持手段が設けられていることが好ましい。この場合、光電変換装置を吊り下げて支持する場合に、インタフェースに作用する吊り下げ応力を分散し、インタフェースのひずみや破壊のおそれを低減することができる。【００１９】
また、この発明は、上記課題を有利に解決することを目的としたものであり、前記複数の剛性部材の少なくとも１つには、前記第２の接続手段が設けられた面と対向する面に、前記複数の剛性部材のそれぞれに接続された光電変換モジュール群を一括して取り外し可能な第３の接続手段が設けられていることが好ましい。この場合、複数の光電変換モジュール群を接続した場合にも、光電変換モジュール群の取り外しが容易となり、利便性の向上を図ることができる。【００２０】
また、この発明は、上記課題を有利に解決することを目的としたものであり、前記剛性部材の長さは、該剛性部材に接続される光電変換モジュールの短手方向の長さと略同等であることが好ましい。この場合、剛性部材の幅方向のサイズを抑制し、インタフェースの折り畳み時の二次元的なサイズの増加を抑制することができるので、携帯性の向上を図ることができる。【００２１】
また、この発明は、上記課題を有利に解決することを目的としたものであり、前記剛性部材の幅は、前記光電変換モジュール群を構成する光電変換モジュールの幅の１／３程度であるが好ましい。この場合、剛性部材の幅方向のサイズを抑制し、インタフェースの折り畳み時の二次元的なサイズの増加を抑制することができるので、携帯性の向上を図ることができ、また、折り畳み操作も容易となる。
【発明の効果】
【００２２】
本発明に係る光電変換装置によれば、太陽電池モジュール群の増設を容易とし、利便性の向上を図ることができる。
【図面の簡単な説明】
【００２３】
【図１】本発明の一実施形態に係る光電変換装置の構成を示すブロック図である。
【図２】図１に示す太陽電池モジュール群の構成を示すブロック図である。
【図３】図１に示す光電変換装置の使用例を示す図である。
【図４】図１に示す太陽電池モジュールＩＦの構成を示す図である。
【図５】図１に示すインタフェースを構成する剛性部材の構成を示す図である。
【図６】図１に示すインタフェースの構成を示す図である。
【図７】図６に示すインタフェースが折り畳まれた状態を示す図である。
【図８】図１に示す光電変換装置の、充電池の充電時の動作を示すフローチャートである。
【図９】図１に示す光電変換装置の、外部機器への放電時の動作を示すフローチャートである。
【図１０】図１に示す光電変換装置の利用形態の一例を示す図である。
【図１１】図１に示す光電変換装置の利用形態の別の一例を示す図である。
【図１２】図１に示す光電変換装置の利用形態のさらに別の一例を示す図である。
【図１３】図１に示す光電変換装置の利用形態のさらに別の一例を示す図である。
【図１４】図１に示すインタフェースおよび太陽電池モジュール群が折り畳まれた状態を示す図である。
【図１５】図１に示す光電変換装置の利用形態のさらに別の一例を示す図である。
【図１６】図１に示すインタフェースの他の構成例を示す図である。
【図１７】図１６に示すインタフェースが折り畳まれた状態を示す図である。
【図１８】図１に示すインタフェースの側面図である。
【発明を実施するための形態】
【００２４】
以下、本発明の実施の形態について説明する。
【００２５】
図１は、本発明の一実施形態に係る光電変換装置１の構成を示すブロック図である。
【００２６】
本実施形態に係る光電変換装置１は、太陽電池モジュールを備えた太陽電池モジュール群１０が本体基板２０に装着され、本体基板２０は太陽電池モジュール群１０（太陽電池モジュール）から電力供給を受ける。そして、本体基板２０は、供給された電力を、自装置内で蓄積したり、所定のインタフェース、例えば、ＵＳＢ（Ｕｎｉｖｅｒｓａｌ  Ｓｅｒｉａｌ  Ｂｕｓ）インタフェースを介して、スマートフォンやタブレットＰＣなどの外部機器に供給したりする。なお、光電変換装置１は、商用電源からＡＣアダプター３０を介して電力供給を受けることもできる。ＡＣアダプター３０は、コンセント３１とＡＣ／ＤＣ変換器３２とを備えている。商用電源からコンセント３１を介して交流電圧がＡＣ／ＤＣ変換器３２に入力され、ＡＣ／ＤＣ変換器３２は、入力された交流電圧を直流電圧に変換して、本体基板２０に供給する。
【００２７】
図１に示す光電変換装置１は、複数の太陽電池モジュール群（光電変換モジュール群）１０−１〜１０−ｋと、本体基板２０と、を備える。以下では、特に太陽電池モジュール群１０−１〜１０−ｋを区別する必要がない場合には、単に太陽電池モジュール群１０と称する。
【００２８】
太陽電池モジュール群１０は、太陽電池モジュール１１と、太陽電池モジュールインタフェース（ＩＦ）１２とを有する。
【００２９】
太陽電池モジュール１１は、太陽光、室内光などの入射光を光電変換して電力を出力する太陽電池を備えた光電変換モジュールである。
【００３０】
太陽電池の種類としては大別して、無機系材料を用いた無機系と、有機系材料を用いた有機系とがある。無機系の太陽電池としては、Ｓｉを用いたＳｉ系、化合物を用いた化合物系などがある。また、有機系の太陽電池としては、有機顔料を用いた低分子蒸着系、導電性高分子を用いた高分子塗布系、変換型半導体を用いた塗布変換系などの薄膜系、チタニア、有機色素および電解質から成る色素増感系などがある。また、太陽電池としては、有機無機ハイブリッド太陽電池、ペロブスカイト系化合物を用いた太陽電池などもある。本発明においては、上述した各種の太陽電池を用いることができる。ただし、一般に、有機系の太陽電池は、薄型かつフレキシブルな構成とすることができ、本発明に用いるのに好適である。
【００３１】
太陽電池モジュールＩＦ１２は、太陽電池モジュール群１０を本体基板２０に装着して、電気的および機械的に接続するためのインタフェースである。太陽電池モジュールＩＦ１２の詳細については後述する。
【００３２】
本体基板２０は、インタフェース（ＩＦ）２１と、昇圧回路部２２と、太陽電池電圧検出部２３と、ＡＣアダプター電圧検出部２４と、充電池２５と、外部インタフェース（ＩＦ）２６と、充放電制御回路２７と、コントローラ２８とを備える。
【００３３】
インタフェース２１は、太陽電池モジュール群１０を本体基板２０に装着して、電気的および機械的に接続（連結）させる。インタフェース２１は、装着された太陽電池モジュール群１０（太陽電池モジュール１１）から、太陽電池モジュールＩＦ１２を介して供給された電圧を昇圧回路部２２に供給する。ここで、インタフェース２１は、複数の太陽電池モジュール群１０を装着することが可能である。インタフェース２１の詳細については後述する。
【００３４】
昇圧回路部２２は、太陽電池モジュール群１０からインタフェース２１を介して供給された電圧を充電池２５の充電に必要な所定電圧に昇圧して、充放電制御回路２７に出力する。
【００３５】
太陽電池電圧検出部２３は、本体基板２０に装着された太陽電池モジュール群１０（太陽電池モジュール１１）からインタフェース２１を介して昇圧回路部２２に供給される電圧（太陽電池電圧）を検出し、検出結果をコントローラ２８に出力する。
【００３６】
ＡＣアダプター電圧検出部２４は、ＡＣアダプター３０から充放電制御回路２７に供給される電圧（ＡＣアダプター電圧）を検出し、検出結果をコントローラ２８に出力する。
【００３７】
充電池２５は、鉛蓄電池、リチウムイオン二次電池などの充放電が可能な電池である。
【００３８】
外部ＩＦ２６は、例えば、ＵＳＢインタフェースなどであり、光電変換装置１を外部機器と接続するためのインタフェースである。
【００３９】
充放電制御回路２７は、昇圧回路部２２と、ＡＣアダプター３０と、充電池２５と、外部ＩＦ２６を介して接続された外部機器との間で充放電制御を行う。
【００４０】
コントローラ２８は、本体基板２０の各部の動作を制御する。例えば、コントローラ２８は、太陽電池電圧検出部２３の検出結果、ＡＣアダプター電圧検出部２４の検出結果、充電池２５の充電量に基づき、充放電制御回路２７を制御して、充放電のためのパスを制御する。また、コントローラ２８は、例えば、昇圧回路部２２による昇圧動作を制御する。
【００４１】
次に、太陽電池モジュール群１０の構成について、図２に示すブロック図を参照して、より詳細に説明する。
【００４２】
図２に示す太陽電池モジュール群１０は、太陽電池モジュールセット１３と、太陽電池モジュールＩＦ１２とを備える。
【００４３】
太陽電池モジュールセット１３は、少なくとも１つの太陽電池モジュール１１を備える。太陽電池モジュールセット１３が複数の太陽電池モジュール１１を備える場合には、各太陽電池モジュール１１は、所定の間隔を開けて配列され、隣り合う太陽電池モジュール１１と縦列に接続されている。そして、複数の太陽電池モジュール１１の１つ（図２の例では、太陽電池モジュール１１の縦列体の一端に位置する太陽電池モジュール１１）が、太陽電池モジュールＩＦ１２に接続される。太陽電池モジュール群１０が本体基板２０のインタフェース２１に装着された状態では、太陽電池モジュールセット１３を構成する各太陽電池モジュール１１の出力電圧の合計が、太陽電池モジュールＩＦ１２を介して、本体基板２０に供給される。上述したように、本体基板２０のインタフェース２１には、複数の太陽電池モジュール群１０を装着可能であり、本体基板２０は、装着された各太陽電池モジュール群１０から電力供給を受けることができる。そのため、本体基板２０に装着する太陽電池モジュール群１０の数を変更することで、本体基板２０への供給電力を調整することができる。
【００４４】
なお、太陽電池モジュール群１０が複数の太陽電池モジュール１１を有する場合、各太陽電池モジュール１１の電極は、例えば、フレキシブル基板で接続される。こうすることで、隣り合う太陽電池モジュール１１の間の部分で太陽電池モジュール群１０を折り畳むことができる。そのため、使用時には、太陽電池モジュール群１０を広げ、非使用時には、太陽電池モジュール群１０を折り畳むことで、収納、運搬が容易となる。
【００４５】
図３は、本実施形態に係る光電変換装置１の使用例を示す図である。
【００４６】
図３に示すように、光電変換装置１の本体基板２０にインタフェース２１が設けられている。そして、少なくとも１つの太陽電池モジュール群１０が、広げられた状態で、太陽電池モジュールＩＦ１２を介してインタフェース２１に接続される。こうすることで、太陽電池モジュール１１は、入射光を電力に変換し、太陽電池モジュールＩＦ１２およびインタフェース２１を介して、光電変換装置１の本体基板２０に電力を供給することができる。
【００４７】
ここで、図３においては、それぞれの太陽電池モジュール群１０が複数の太陽電池モジュール１１を備える例を示している。この場合、太陽電池モジュールＩＦ１２は、太陽電池モジュール１１の配列方向と交差する方向、すなわち、太陽電池モジュール群１０の短手方向に設けられている。そのため、太陽電池モジュール群１０の長辺とインタフェース２１とを接続する場合と比べて、インタフェース２１の長さを抑制しつつ、複数の太陽電池モジュール群１０を装着することが可能となる。
【００４８】
次に、太陽電池モジュールＩＦ１２の構成について、図４を参照して説明する。
【００４９】
図４に示す太陽電池モジュールＩＦ１２は、ガイド１２１（第１の接続部）と、コネクタ１２２（第１のコネクタ）とを備える。ガイド１２１およびコネクタ１２２は、第１の接続手段１２３を構成する。
【００５０】
ガイド１２１は、所定の断面形状（例えば、半円）を有する部材であり、上述したように、太陽電池モジュール群１０の短手方向に沿って延在している。
【００５１】
コネクタ１２２は、ガイド１２１の先端（図４においては、ガイド１２１の紙面奥方向の一端）に取り付けられている。ガイド１２１とコネクタ１２２とは一体的に（ガイド１２１とコネクタ１２２とが結合して）、設けられている。コネクタ１２２は、太陽電池モジュール群１０の太陽電池モジュールセット１３内の１つの太陽電池モジュール１１の電極と電気的に接続されている。コネクタ１２２は、例えば、ピンコネクタのオス構成である。
【００５２】
次に、インタフェース２１の構成について説明する。
【００５３】
上述したように、インタフェース２１には、複数の太陽電池モジュール群１０を接続することができる。インタフェース２１は、複数の剛性部材を連結して構成される。各剛性部材には、それぞれ、１または複数の太陽電池モジュール群１０が接続される。
【００５４】
以下では、インタフェース２１を構成する剛性部材の構成について、図５を参照して説明する。
【００５５】
図５に示す剛性部材２１１は、ガイドレール２１２（第２の接続部）と、コネクタ２１３（第２のコネクタ）とを備える。ガイドレール２１２およびコネクタ２１３は、第２の接続手段２１５を構成する。
【００５６】
ガイドレール２１２は、剛性部材２１１の一面に設けられた凹部２１４に設けられている。ガイドレール２１２は、太陽電池モジュールＩＦ１２のガイド１２１に対応する断面形状（例えば、中空半円）を有する柱状の部材である。ガイドレール２１２は、その中空部分に太陽電池モジュールＩＦ１２のガイド１２１を挿入することができ、ガイド１２１と摺接して（スライドするように接して）係合することができる。図５の例では、ガイドレール２１２の紙面手前側から奥部に向かって、ガイド１２１が挿入される。
【００５７】
コネクタ２１３は、ガイド１２１がガイドレール２１２と係合した所定の位置にある状態で、太陽電池モジュールＩＦ１２のコネクタ１２２と接続する位置に設けられている。コネクタ２１３は、例えば、ピンコネクタのメス構成である。
【００５８】
図４に示したように、太陽電池モジュールＩＦ１２のコネクタ１２２は、ガイド１２１の先端に設けられている。この場合、剛性部材２１１のコネクタ２１３は、例えば、ガイドレール２１２の奥部近傍に設けられ、ガイド１２１がガイドレール２１２の奥まで挿入されると、コネクタ１２２とコネクタ２１３とが接続される。
【００５９】
ガイド１２１とガイドレール２１２とが係合することで、太陽電池モジュール群１０と本体基板２０とが機械的に接続される。また、ガイド１２１とガイドレール２１２との係合に応じて、コネクタ１２２とコネクタ２１３とが接続されることで、太陽電池モジュール群１０と本体基板２０とが電気的に接続される。このように本実施形態においては、太陽電池モジュールＩＦ１２のガイド１２１を剛性部材２１１のガイドレール２１２にスライドさせるという簡易な操作で、太陽電池モジュール群１０と本体基板２０とを電気的および機械的に接続することができる。
【００６０】
なお、ガイド１２１およびガイドレール２１２の形状は半円形状に限られるものではなく、台形など、種々の形状とすることができる。要は、ガイド１２１とガイドレール２１２とが摺接して係合することができれば、ガイド１２１およびガイドレール２１２の形状は任意の形状とすることができる。ただし、ガイド１２１を半円状や台形状とし、ガイドレール２１２をガイド１２１の形状に対応する形状とすることで、太陽電池モジュール群１０が表裏反対に装着される、いわゆる逆挿しを防ぐことができる。
【００６１】
また、本実施形態においては、太陽電池モジュールＩＦ１２にガイド１２１が設けられ、剛性部材２１１にガイドレール２１２が設けられる例を用いて説明したが、これに限られるものではない。太陽電池モジュールＩＦ１２にガイドレールが設けられ、剛性部材２１１にガイドが設けられてもよい。
【００６２】
また、ガイドおよびガイドレールの配置数、大きさ、幅、配置場所なども、ガイドとガイドレールとが摺接して係合することができれば、任意とすることができる。
【００６３】
また、コネクタ１２２およびコネクタ２１３の配置数、配置場所なども、ガイドとガイドレールとが係合した状態で、コネクタ１２２とコネクタ２１３とが接続可能であれば、任意とすることができる。
【００６４】
また、本実施形態においては、コネクタ１２２がピンコネクタのオス構成であり、コネクタ２１３がピンコネクタのメス構成である例を用いて説明したが、これに限られるものではない。コネクタ１２２がピンコネクタのメス構成であり、コネクタ２１３がピンコネクタのオス構成であってもよい。
【００６５】
また、第１の接続手段１２３と第２の接続手段２１５とは、カードエッジコネクタがエッジコネクタソケットに挿入されることで接続されるカードエッジ方式により接続されてもよい。
【００６６】
上述したように、インタフェース２１は、複数の剛性部材２１１から構成される。図６は、インタフェース２１の構成を示す図である。
【００６７】
図６に示す例では、インタフェース２１は、３つの剛性部材２１１（２１１ａ，２１１ｂ，２１１ｃ）を備える。
【００６８】
剛性部材２１１ａと剛性部材２１１ｂとは、連結部２１６ａを介して折り畳み可能に（開閉可能に）接続されている。また、剛性部材２１１ｂと剛性部材２１１ｃとは、連結部２１６ｂを介して開閉可能に接続されている。
【００６９】
連結部２１６ａは、剛性部材２１１ａと剛性部材２１１ｂとを機械的に接続するヒンジと、剛性部材２１１ａのコネクタ２１３と剛性部材２１１ｂのコネクタ２１３とを電気的に接続する可撓性の導電部材（導電ケーブルやフレキシブル基板）とからなる。連結部２１６ｂは、剛性部材２１１ｂと剛性部材２１１ｃとを機械的に接続するヒンジと、剛性部材２１１ｂのコネクタ２１３と剛性部材２１１ｃのコネクタ２１３とを電気的に接続する可撓性を有する導電性部材とからなる。このように、本実施形態においては、１つのヒンジにより２つの剛性部材２１１が接続されている。なお、ヒンジおよび導電部材を用いて、２つの筐体を開閉可能に機械的および電気的に接続するための構成としては種々のものがあり、当業者によく知られているため、説明を省略する。
【００７０】
このように、インタフェース２１は、隣り合う剛性部材２１１が連結部２１６により、開閉可能に機械的に接続され、かつ、電気的にも接続されている。そのため、インタフェース２１は、図７に示すように、剛性部材２１１単位で折り畳むことが可能である。また、インタフェース２１は、図３に示すように、直線状に延ばすことが可能である。
【００７１】
上述したように、各剛性部材２１１は電気的に接続されているので、インタフェース２１に装着された各太陽電池モジュール群１０から供給される電力の合計が、本体基板２０に供給される。したがって、インタフェース２１に装着する太陽電池モジュール群１０の数や種類を調整することで、本体基板２０への供給電力を調整することができる。さらに、本実施形態においては、太陽電池モジュールＩＦ１２のガイド１２１を剛性部材２１１のガイドレール２１２にスライドさせて係合／非係合とするという簡易な操作で、インタフェース２１（剛性部材２１１）に太陽電池モジュール群１０を脱着することができる。そのため、本体基板２０への供給電力の調整が容易であり、利便性の向上を図ることができる。また、インタフェース２１は折り畳み可能であることから、非使用時には小さく収納することができる。そのため、携帯性に優れ、利便性の向上を図ることができる。
【００７２】
なお、第２の接続手段２１５は、隣り合う剛性部材２１１同士が折り畳まれた状態で、剛性部材同士が対向する（接する）面以外の面に設けられている。こうすることで、インタフェース２１が折り畳まれた状態でも、折り畳んだ剛性部材２１１の厚みの合計を超えることなく折り畳むことが可能となる。また、インタフェース２１の折り畳み時の薄型化を図ることができる。
【００７３】
また、図６，７においては、インタフェース２１を構成する剛性部材２１１の数が３である例を用いて説明したが、これに限られるものではない。インタフェース２１を構成する剛性部材２１１の数は、２あるいは４以上であってもよい。
【００７４】
このように、本実施形態によれば、光電変換装置１は、太陽電池モジュール群１０が装着されるインタフェース２１を有している。インタフェース２１は、太陽電池モジュール群１０に設けられた第１の接続手段１２３と機械的および電気的に連結可能な第２の接続手段２１５をそれぞれが有する複数の剛性部材２１１を備えている。さらに、複数の剛性部材２１１は、折り畳み可能に機械的および電気的に連結されている。
【００７５】
太陽電池モジュール群１０に設けられた第１の接続手段１２３と機械的および電気的に連結可能な第２の接続手段２１５をそれぞれが有する複数の剛性部材２１１を、折り畳み可能に機械的および電気的に連結することで、複数の太陽電池モジュール群１０の装着、すなわち、太陽電池モジュール群１０の増設が可能となるので、利便性の向上を図ることができる。さらに、インタフェース２１は、剛性部材２１１単位で折り畳み可能となるため、非使用時には最小単位（剛性部材２１１の１つ分の幅）まで折り畳むことができ、小さく収納することができるので、携帯性に優れ、利便性の向上を図ることができる。
【００７６】
また、太陽電池モジュール群１０も太陽電池モジュール１１単位で折り畳み可能である。そのため、インタフェース２１およびインタフェース２１に装着された各太陽電池モジュール群１０を折り畳むと、太陽電池モジュール群１０の折り畳みの最小単位（例えば、１つの太陽電池モジュール１１）と二次元的には（面的には）、略同等のサイズまで小さくすることができる。そのため、携帯性に優れ、利便性の向上を図ることができる。さらに、インタフェース２１およびインタフェース２１に装着された各太陽電池モジュール群１０の折り畳み時の二次元的なサイズは、剛性部材２１１の増設数に依存しないので、増設数が増加しても、装置サイズの増大を抑制することができる。
【００７７】
また、インタフェース２１を構成する各剛性部材２１１の接続手段の構成を同一にする（共通化する）ことで、非接続とした太陽電池モジュール群１０を、別の光電変換装置１のインタフェース２１（剛性部材２１１）に接続して使用することが可能となる。さらに、太陽電池モジュール１１の形態が異なる太陽電池モジュール群１０を、１つの光電変換装置１に混在して接続（増設）することも可能である。また、接続手段の構成を同一にする（共通化する）ことで、光電変換装置１とは異なる形態で太陽電池モジュール群１０を使用する他の機器への接続も可能となり、互換性の向上を図ることができる。また、変換効率などが改善された新規の太陽電池モジュール群１０が後発的に開発されたような場合にも、剛性部材２１１に新規に開発された太陽電池モジュール群１０を接続して使用することが可能となる。
【００７８】
また、インタフェース２１を構成する各剛性部材２１１が備える第２の接続手段２１５の構成が異なる場合にも、剛性部材２１１単位で、各剛性部材２１１が備える第２の接続手段２１５に対応する第１の接続手段１２３を有する太陽電池モジュール群１０を接続することができるので、異種の太陽電池モジュール群１０の増設（混在）が可能となり、接続の自由度の向上を図ることができる。
【００７９】
次に、本実施形態に係る光電変換装置１の動作について説明する。
【００８０】
本実施形態に係る光電変換装置１は、外部ＩＦ２６に接続された外部機器からの充電要求を受けて、外部ＩＦ２６を介して、外部機器に電力を供給する。ここで、外部機器への電力の供給元としては、本体基板２０に装着された太陽電池モジュール群１０、ＡＣアダプター３０および本体基板２０の充電池２５の３つがある。光電変換装置１は、これらの中から、外部機器への電力の供給元を適宜選択して、外部ＩＦ２６に接続された外部機器に電力を供給する。
【００８１】
また、本実施形態に係る光電変換装置１は、本体基板２０に装着された太陽電池モジュール群１０あるいはＡＣアダプター３０を電力の供給元として、充電池２５を充電する。光電変換装置１は、これらの中から、充電池２５への電力の供給元を適宜選択して、充電池２５を充電する。
【００８２】
以下では、充電池２５の充電時および外部機器への放電時の光電変換装置１の動作について説明する。まず、充電池２５の充電時の動作について説明する。
【００８３】
図８は、充電池２５の充電時の光電変換装置１の動作を示すフローチャートである。
【００８４】
コントローラ２８は、ＡＣアダプター電圧検出部２４の出力から、ＡＣアダプター電圧が検出されたか否かを判定する（ステップＳ１０１）。
【００８５】
ＡＣアダプター電圧が検出されたと判定した場合には（ステップＳ１０１：Ｙｅｓ）、コントローラ２８は、充電池２５が満充電であるか否かを判定する（ステップＳ１０２）。
【００８６】
充電池２５が満充電でないと判定した場合には（ステップＳ１０２：Ｎｏ）、コントローラ２８は、充放電制御回路２７を制御して、ＡＣアダプター３０から充電池２５に充電するパスを設定する（ステップＳ１０３）。充放電制御回路２７は、設定されたパスに従い、充電池２５の充電制御を行う（ステップＳ１０４）。なお、充電池２５の充電制御の方法は、当業者によく知られており、また、本発明と直接関係しないので、説明を省略する。
【００８７】
充電池２５が満充電であると判定した場合には（ステップＳ１０２：Ｙｅｓ）、コントローラ２８は、充放電制御回路２７を制御して、充電池２５を充電するパスをオフにする（ステップＳ１０５）。
【００８８】
ＡＣアダプター電圧が検出されていないと判定した場合には（ステップＳ１０１：Ｎｏ）、コントローラ２８は、太陽電池電圧検出部２３の出力から、太陽電池電圧が検出されたか否かを判定する（ステップＳ１０６）。
【００８９】
太陽電池電圧が検出されたと判定した場合には（ステップＳ１０６：Ｙｅｓ）、コントローラ２８は、充電池２５が満充電であるか否かを判定する（ステップＳ１０７）。
【００９０】
充電池２５が満充電でないと判定した場合には（ステップＳ１０７：Ｎｏ）、コントローラ２８は、昇圧回路部２２に、インタフェース２１を介して太陽電池モジュール群１０から供給された電圧を昇圧させる（ステップＳ１０８）。また、コントローラ２８は、充放電制御回路２７を制御して、太陽電池モジュール群１０から充電池２５に充電するパスを設定する（ステップＳ１０９）。充放電制御回路２７は、設定されたパスに従い、充電池２５の充電制御を行う（ステップＳ１１０）。
【００９１】
充電池２５が満充電であると判定した場合には（ステップＳ１０７：Ｙｅｓ）、コントローラ２８は、充放電制御回路２７を制御して、充電池２５を充電するパスをオフにする（ステップＳ１１１）。
【００９２】
ステップＳ１０４あるいはステップＳ１１０における充電制御により充電池２５が満充電となった後、ステップＳ１０５あるいはステップＳ１１１の処理により充電池２５を充電するパスをオフにした後、または、太陽電池電圧を検出していないと判定した場合には（ステップＳ１０６：Ｎｏ）、コントローラ２８は、充電動作を終了し、図９に示す放電動作に進む。
【００９３】
図９は、外部機器への放電時の光電変換装置１の動作を示すフローチャートである。
【００９４】
まず、コントローラ２８は、外部ＩＦ２６を介した外部機器からの充電要求があるか否かを判定する（ステップＳ２０１）。
【００９５】
外部ＩＦ２６を介した外部機器からの充電要求があると判定した場合には（ステップＳ２０１：Ｙｅｓ）、コントローラ２８は、太陽電池電圧検出部２３の出力から、太陽電池電圧が検出されたか否かを判定する（ステップＳ２０２）。
【００９６】
太陽電池電圧が検出されたと判定した場合には（ステップＳ２０２：Ｙｅｓ）、コントローラ２８は、昇圧回路部２２に、インタフェース２１を介して太陽電池モジュール群１０から供給された電圧を昇圧させる（ステップＳ２０３）。また、コントローラ２８は、充放電制御回路２７を制御して、太陽電池モジュール群１０から外部ＩＦ２６に放電するパスを設定する（ステップＳ２０４）。充放電制御回路２７は、設定されたパスに従い、太陽電池モジュール群１０から外部ＩＦ２６への放電制御を行う（ステップＳ２０５）。これにより、外部ＩＦ２６を介して、太陽電池モジュール群１０から外部機器への電力供給が行われる。なお、外部ＩＦ２６への放電制御の方法は、当業者によく知られており、また、本発明と直接関係しないので、説明を省略する。
【００９７】
太陽電池電圧が検出されていないと判定した場合には（ステップＳ２０２：Ｎｏ）、コントローラ２８は、ＡＣアダプター電圧検出部２４の出力から、ＡＣアダプター電圧が検出されたか否かを判定する（ステップＳ２０６）。
【００９８】
ＡＣアダプター電圧が検出されたと判定した場合には（ステップＳ２０６：Ｙｅｓ）、コントローラ２８は、充放電制御回路２７を制御して、ＡＣアダプター３０から外部ＩＦ２６に放電するパスを設定する（ステップＳ２０７）。充放電制御回路２７は、設定されたパスに従い、ＡＣアダプター３０から外部ＩＦ２６への放電制御を行う（ステップＳ２０８）。これにより、外部ＩＦ２６を介して、ＡＣアダプター３０から外部機器への電力供給が行われる。
【００９９】
ＡＣアダプター電圧が検出されていないと判定した場合には（ステップＳ２０６：Ｎｏ）、コントローラ２８は、充電池２５の充電量がＥｍｐｔｙ（空）相当であるか否かを判定する（ステップＳ２０９）。
【０１００】
充電池２５の充電量がＥｍｐｔｙ相当でないと判定した場合には（ステップＳ２０９：Ｎｏ）、コントローラ２８は、充放電制御回路２７を制御して、充電池２５から外部ＩＦ２６に放電するパスを設定する（ステップＳ２１０）。充放電制御回路２７は、設定されたパスに従い、充電池２５から外部ＩＦ２６への放電制御を行う（ステップＳ２１１）。これにより、外部ＩＦ２６を介して、充電池２５から外部機器への電力供給が行われる。
【０１０１】
ステップＳ２０５、ステップＳ２０８またはステップＳ２１１における充放電制御回路２７による放電制御の終了後、コントローラ２８は、ステップＳ２０１に戻り、引き続き、充電要求があるか否かを判定する。
【０１０２】
外部機器からの充電要求がないと判定した場合（ステップＳ２０１：Ｎｏ）、あるいは、充電池２５の充電量がＥｍｐｔｙ相当であると判定した場合には（ステップＳ２０９：Ｙｅｓ）、コントローラ２８は、放電動作を終了し（ステップＳ２１２）、図８に示す充電動作に戻る。
【０１０３】
次に、本実施形態に係る光電変換装置１の利用例について説明する。
【０１０４】
例えば、利用者の在宅時には、図１０に示すように、光電変換装置１は、インタフェース２１に複数の太陽電池モジュール群１０が装着された状態で、支持材３０１を介して、窓３０２の近傍に設置される。太陽電池モジュール群１０を、例えば、机の上などに平面的に広げて使用する場合、太陽電池モジュール群１０が場所をとり、使い勝手が悪い。そこで、図１０に示すように、光電変換装置１（太陽電池モジュール群１０）を吊り下げて支持することで、設置時の省スペース化を図ることができる。
【０１０５】
そして、利用者の外出時には、必要に応じて、窓近傍に設置された複数の太陽電池モジュール群１０の一部を利用者が携帯し、使用時には図１１に示すように、太陽電池モジュール群１０をインタフェース２１に装着して使用するといった使用例が考えられる。
【０１０６】
なお、光電変換装置１は、図１１に示すように、光電変換装置１を支持する支持部３０３（第１の支持手段）を有していてもよい。
【０１０７】
光電変換装置１に支持部３０３が設けられることで、利用者の外出時などでも、光電変換装置１（太陽電池モジュール群１０）を吊り下げた状態で支持することが可能となる。
【０１０８】
上述したように、インタフェース２１は複数の太陽電池モジュール群１０を装着可能なように、複数の剛性部材２１１から構成される。したがって、通常、インタフェース２１を広げた状態では、インタフェース２１の長さは、光電変換装置１の本体の幅と比べて長い。そのため、支持部３０３だけで、光電変換装置１を吊り下げて支持する場合、インタフェース２１に吊り下げ応力が作用し、インタフェース２１のひずみや破壊のおそれがある。
【０１０９】
そこで、図１２に示すように、インタフェース２１に、支持部３０３により光電変換装置１が吊り下げて支持される状態で、インタフェース２１を支持する支持部３０４（第２の支持手段）を設けることが好ましい。支持部３０４を設けることで、インタフェース２１に作用する吊り下げ応力を分散し、インタフェース２１のひずみや破壊のおそれを低減することができる。
【０１１０】
図１２においては、支持部３０４が１つだけ設けられている例を示しているが、これに限られるものではなく、支持部３０４は複数設けられていてもよい。
【０１１１】
なお、光電変換装置１は、図１３に示すように、インタフェース２１に装着された太陽電池モジュール群１０が吊り下げられた状態で、光電変換装置１を支持するハンガー状の吊下部材３０５を備えていてもよい。
【０１１２】
図１０に示すように、光電変換装置１を窓３０２の近傍に設置された支持材３０１により支持する場合、光電変換装置１の設置位置は窓３０２の近傍に限定されてしまう。一方、図１３に示すように、光電変換装置１を支持する吊下部材３０５を設けることで、利用者は、より自由に光電変換装置１を設置することができる。
【０１１３】
また、上述したように、本実施形態においては、インタフェース２１は、剛性部材２１１単位で折り畳み可能である。また、太陽電池モジュール群１０も折り畳み可能である。そのため、図１４に示すように、剛性部材２１１の厚み２１１Ａを、太陽電池モジュール群１０の折り畳み時の厚さ１０Ａと略同じとなるようにすることが好ましい。こうすることで、インタフェース２１の各剛性部材２１１に太陽電池モジュール群１０が装着された状態で、インタフェース２1および各太陽電池モジュール群１０を折り畳んだ状態での厚さが略均一となり、携帯性、収納性の向上を図ることができる。また、太陽電池モジュール１１の薄膜化の進展に伴い、インタフェース２1および各太陽電池モジュール群１０の折り畳み時の厚みを小さくすることもできる。
【０１１４】
なお、本実施形態においては、１つの剛性部材２１１に１つの太陽電池モジュール群１０が接続される例を用いて説明したが、これに限られるものではない。近年では、太陽電池モジュール１１の小型化が進展しており、それに伴い、太陽電池モジュール群１０の小型化も可能となる。この場合、図１５に示すように、１つの剛性部材２１１に複数の太陽電池モジュール群１０を装着するようにしてもよい。こうすることで、太陽電池モジュール群１０の携帯性が高まるとともに、本体基板２０への供給電力のより細かな調整も可能となる。
【０１１５】
上述したように、本実施形態においては、光電変換装置１のインタフェース２１への太陽電池モジュール群１０の脱着が容易である。そのため、第１の接続手段１２３と第２の接続手段２１５との間の互換性が確保されていれば、様々な種類の太陽電池モジュール群１０（例えば、製造メーカが異なる、供給可能な電力が異なる、太陽電池モジュール１１の種類が異なるなど）を互換的に接続することができ、利便性の向上を図ることができる。また、利用者の外出先に、光電変換装置１の本体基板２０に相当する構成が設けられている場合には、利用者が必要な太陽電池モジュール群１０だけを携帯すればよく、利便性の向上を図ることができる。
【０１１６】
また、本実施形態においては、図１６に示すように、インタフェース２１を構成する複数の剛性部材２１１の少なくとも１つには、第３の接続手段３０６が設けられていてもよい。
【０１１７】
第３の接続手段３０６は、剛性部材２１１の第２の接続手段２１５が設けられた面（太陽電池モジュール群１０が接続する面）と対向する面に設けられており、インタフェース２１の各剛性部材２１１に接続された太陽電池モジュール群１０を一括して取り外すことが可能となるように構成されている。なお、例えば、１つの部材（インタフェース２１）に対して、ガイド１２１とガイドレール２１２とにより接続された複数の部材（太陽電池モジュール群１０）を一括して取り外すための構成としては種々の構成が考えられる。そのため、ここでは詳細な説明を省略するが、例えば、接続時とは逆方向にガイド１２１を押圧する押圧部材を各剛性部材２１１に設け、第３の接続手段３０６の操作により、各剛性部材２１１の押圧部材が各剛性部材２１１に接続する太陽電池モジュール群１０のガイド１２１を接続時とは逆方向に押圧する構成などが考えられる。
【０１１８】
このように、インタフェース２１に接続された太陽電池モジュール群１０を一括して取り外し可能な第３の接続手段３０６を設けることで、複数の太陽電池モジュール群１０を接続した場合にも、太陽電池モジュール群１０の取り外しが容易となり、利便性の向上を図ることができる。また、例えば、充電池２５の満充電後は、図１７に示すように、インタフェース２１および太陽電池モジュール群１０を折り畳んだ状態で、本体基板２０の外部ＩＦ２６に外部機器を接続して使用することで、使用時の省スペース化、携帯性の向上および太陽電池モジュール群１０の取り外しの容易化を図ることができる。
【０１１９】
なお、剛性部材２１１の長さは、例えば、図３に示すように、太陽電池モジュール群１０の短手方向の長さ（剛性部材２１１と接続される辺の長さ）と略同等であることが好ましい。こうすることで、剛性部材２１１の長さ方向のサイズを抑制し、インタフェース２１の折り畳み時の二次元的なサイズの増加を抑制することができるので、携帯性の向上を図ることができ、また、折り畳み操作も容易となる。
【０１２０】
また、図５に示したように、剛性部材２１１のガイドレール２１２（第２の接続部）は、剛性部材２１１の凹部２１４内に設けられている。この場合、図１８に示すように、インタフェース２１と太陽電池モジュール群１０との接続方向についての、剛性部材２１１の幅２１１Ｂと、ガイドレール２１２の幅（幅）２１２Ｂとは、略同等であることが好ましい。こうすることで、剛性部材２１１の幅方向のサイズを抑制し、インタフェース２１の折り畳み時の二次元的なサイズの増加を抑制することができるので、携帯性の向上を図ることができる。また、剛性部材２１１の幅２１１Ｂは、太陽電池モジュール１１の幅の１／３程度、あるいはそれ以下とすることが好ましい。こうすることで、折り畳み時の機能性確保の確保、インタフェース２１の折り畳み時の二次元的なサイズの増加を抑制しつつ、携帯性の向上を図ることができる。
【０１２１】
本発明を図面および実施形態に基づき説明してきたが、当業者であれば本開示に基づき種々の変形または修正を行うことが容易であることに注意されたい。したがって、これらの変形または修正は本発明の範囲に含まれることに留意されたい。例えば、各ブロックなどに含まれる機能などは論理的に矛盾しないように再配置可能であり、複数のブロックを１つに組み合わせたり、或いは分割したりすることが可能である。
【産業上の利用可能性】
【０１２２】
本発明によれば、太陽電池モジュールの増設を容易とし、利便性の向上を図ることができる光電変換装置を提供することができる。
【符号の説明】
【０１２３】
１    光電変換装置
１０    太陽電池モジュール群
１１    太陽電池モジュール
１２    太陽電池モジュールインタフェース
２０    本体基板
２１    インタフェース
２２    昇圧回路部
２３    太陽電池電圧検出部
２４    ＡＣアダプター電圧検出部
２５    充電池
２６    外部インタフェース
２７    充放電制御回路
２８    コントローラ
３０    ＡＣアダプター
３１    コンセント
３２    ＡＣ／ＤＣ変換器
１２１    ガイド
１２２    コネクタ
１２３    第１の接続手段
２１１    剛性部材
２１２    ガイドレール
２１３    コネクタ
２１５    第２の接続手段
２１６    連結部
３０１    支持材
３０２    窓
３０３，３０４    支持部
３０５    吊下部材
３０６    第３の接続手段
【図１】
2016152084.tif 000003
【図２】
2016152084.tif 000004
【図３】
2016152084.tif 000005
【図４】
2016152084.tif 000006
【図５】
2016152084.tif 000007
【図６】
2016152084.tif 000008
【図７】
2016152084.tif 000009
【図８】
2016152084.tif 000010
【図９】
2016152084.tif 000011
【図１０】
2016152084.tif 000012
【図１１】
2016152084.tif 000013
【図１２】
2016152084.tif 000014
【図１３】
2016152084.tif 000015
【図１４】
2016152084.tif 000016
【図１５】
2016152084.tif 000017
【図１６】
2016152084.tif 000018
【図１７】
2016152084.tif 000019
【図１８】
2016152084.tif 000020
【国際調査報告】
2016152084.tif 000021
2016152084.tif 000022
2016152084.tif 000023
2016152084.tif 000024